(57)【要約】【課題】  布のデザインにおいて、ネクタイ部位を効率よく配置した型紙で裁断だが、柄の布の場合は、柄に合わせて配置するので無地の布のように効率よく配置して裁断できない。【解決手段】  裁断した個々の部位の形と該形に表記されている柄ごとを一つの構図柄とし、ネクタイの構成に合わせて必要な各構図柄をバイアスや織り目に適した位置に配置したデザインを具備し、該具備したデザインにより配置された構図柄にネクタイを結び始める位置決めの指標とする表示部を設け、デザイン内にネクタイを結び始める位置決めにする丸い形状やネームタグの様な形態による空間により構成された位置決め部（Ｋ）の部位による形と該形に表記されている柄ごとを一つの構図柄として設け、該構図柄を含むデザインが表記された布による任意の裁断方向に配置された構図柄又は型を含む構図柄によりデザインされた布。【選択図】図１
2019194383.tif 000002
【特許請求の範囲】
【請求項１】
製品として縫製する前の縫い代や折り代などを含む一枚の布を「部位」とし、該部位と同じ型による型紙やＣＡＤなどのデータにより布を裁断しているが、部位と同じ型を縁取りした柄を「縁取柄」とし、縫製品として構成される部位を製造する型紙やＣＡＤなどのデータで布に配置されたように裁断するが、型紙の縁取柄やＣＡＤなどのデータによる縁取柄を効率よく各部位に必要な裁断方向で配置したデザインを「全縁取柄」とし、該全縁取柄で染織するが、該全縁取柄をパターン化した布としても染織するし、柄の表記された布に全縁取柄のパターンを捺染し、
縫製において、型紙などで裁断された部位に表示されている柄を含み且つ、部位の型を縁取りした柄を「型込柄」とし、該型込柄を全縁取柄の縁取柄と同じように効率よく各型込柄に必要な裁断方向で配置したデザインを「全型込柄」とし、該全型込柄で染織するが、該全型込柄をパターン化した布としても染織し、
型込柄において、予め定められた柄からなる布により裁断された部位による型込柄ではなく、縫製品が完成した時に表示される柄を一枚の絵画や写真のように表示するよう予め予測し又は、パッチワークなどのように異なる柄の布を縫製したぜんたいの柄を型込柄の縁取り以外の柄として表記し又、縫い代や折り代を含む部位の柄を「構図柄」とし、該構図柄を全縁取柄の縁取柄と同じように効率よく各構図柄に必要な裁断方向で配置したデザインを「全構図柄」とし、該全構図柄で染織するが、該全構図柄をパターン化した布としても染織する事を特徴とする任意の裁断方向に配置された構図柄又は型を含む構図柄によりデザインされた布。
【発明の詳細な説明】
【技術分野】
【０００１】
本発明は、布におけるデザインに関するものである。
【背景技術】
【０００２】
染物、織物のほかに、編物、刺繍、アップリケ、パッチワーク、フェルトなどを含めた、不織布や繊維を「布」とし、該布を加飾する技術、およびそうした技術によって染めと織りにより作られた製品を工芸分野における「染織」とし、該染織された布において、織り方や織り目により表示される柄や模様を含む布に目視可能に表記されたものを「柄」とし、染織された布において、織り目に対してネクタイやバイアステープなどによる裁断方向を含みながら効率よく配置された型紙やＣＡＤによるパターンで裁断したり、型紙やＣＡＤによるパターンの配置により布の柄に合わせて裁断していた。
【０００３】
例えばインクジェット式捺染機、オート・ロータリ式のスクリーン捺染機、ロール捺染機等の捺染手段（プリント手段）で構成され、捺染ユニットを、上述の装置本体に記憶したデータに基づいて駆動すると共に、染料充填部から供給される一色又は複数色の染料を適量吐出し、指定された染料（インク）を、指定マーカー内の指定パーツの内側及び又は外側に着色又は塗布して、指定された色で、構図柄を捺染することで、被縫製物の指定部分に構図柄を生せん及び刺繍したり、指定サイズに裁断する等の加工作業が正確且つ安定して行えるというものである（特許文献１参照）。
【０００４】
【特許文献１】特開２００１‐０３２１２５号公報
【発明の概要】
【発明が解決しようとする課題】
【０００５】
一定した柄の布に対し、型紙やＣＡＤによるパターンにより効率よく配置され裁断された布での縫製された製品の柄は揃っていないが、縫製された製品の柄が揃うように型紙やＣＡＤによるパターンによる配置方法は布の損失が生じ効率的ではないし、細部な部位により構成され平面裁断や立体裁断ではＴシャツのように正面や背面の一枚による全体を使って絵画や写真などの柄を表記するには布のデザインにもより変化するが、更に布の損失が出でいた。
【０００６】
被服を構成する部位その物の柄が表示されたデザインを布に捺染し、同時に又は順次裁断装置により裁断され、サイズの変更などは捺染する装置と裁断する装置により共通したデータを基に拡大や縮小しているので一般的に流通しない柄の布になり、織り目に対して上下左右の方向に裁断されるデザインによる布で、衣類を対象としていて鞄や裁断方向が異なるネクタイやバイアステープなどの衣類以外を対象にしたデザインの布がなかった。
【課題を解決するための手段】
【０００７】
製品として縫製する前の縫い代や折り代などを含む一枚の布を「部位」とし、該部位と同じ型による型紙やＣＡＤなどのデータにより布を裁断しているが、部位と同じ型を縁取りした柄を「縁取柄」とし、縫製品として構成される部位を製造する型紙やＣＡＤなどのデータで布に配置されたように裁断するが、型紙の縁取柄やＣＡＤなどのデータによる縁取柄を効率よく各部位に必要な裁断方向で配置したデザインを「全縁取柄」とし、該全縁取柄で染織するが、該全縁取柄をパターン化した布としても染織するし、柄の表記された布に全縁取柄のパターンを捺染する。
【０００８】
縫製において、型紙などで裁断された部位に表示されている柄を含み且つ、部位の型を縁取りした柄を「型込柄」とし、該型込柄を全縁取柄の縁取柄と同じように効率よく各型込柄に必要な裁断方向で配置したデザインを「全型込柄」とし、該全型込柄で染織するが、該全型込柄をパターン化した布としても染織する。
【０００９】
型込柄において、予め定められた柄からなる布により裁断された部位による型込柄ではなく、縫製品が完成した時に表示される柄を一枚の絵画や写真のように表示するよう予め予測し又は、パッチワークなどのように異なる柄の布を縫製したぜんたいの柄を型込柄の縁取り以外の柄として表記し又、縫い代や折り代を含む部位の柄を「構図柄」とし、該構図柄を全縁取柄の縁取柄と同じように効率よく各構図柄に必要な裁断方向で配置したデザインを「全構図柄」とし、該全構図柄で染織するが、該全構図柄をパターン化した布としても染織する。
【発明の効果】
【００１０】
高級品のように縫製された製品の柄がきれいに揃ったり、各部位により構成されているが一枚の絵画や写真のような柄が効率よく少ない布の量で裁断でき、既製品としてサイズに合った全縁取柄、全型込柄、全構図柄などにより、手芸などで型紙を頼りに線引きなどしなくても縁取柄に沿って裁断すれば簡単に縫製品ができる。
【図面の簡単な説明】
【００１１】
【図１】ネクタイの構成部位による全縁取柄のパターンによる布とヨット柄の布に全縁取柄を捺染した布の図
【図２】四本分の柄の異なるネクタイによる全構図柄のパターンによる布の図
【図３】図２における一本目のネクタイを構成する部位とハンカチを含む構図柄を表記した図
【図４】図２における二本目のネクタイを構成する部位とハンカチを含む構図柄を表示した図
【図５】図２における三本目と四本目のネクタイを構成する部位とハンカチ（Ｆ）を含む構図柄を表示した図
【図６】無地の半袖ワイシャツに丸や上下左右の直線の柄を表記した説明図
【発明を実施するための形態】
【実施例１】
【００１２】
図１の上部はネクタイを構成する大剣（Ｑ５）、なかはぎ（Ｃ５）、小剣（Ｄ５）、大剣裏地（Ｇ５）、小剣裏地（Ｈ５）による部位による縁取柄を織り目とは４５度の正バイアスによる角度で配置し、小剣通し（Ｊ５）だけを織り目に平衡や垂直の方向で配置された全縁取柄によるパターンにより染織した布で「縁取柄布（Ｍ５）」とし、該縁取柄布（Ｍ５）に表示されていた全縁取柄を図1の下部ではヨット柄の布にプリントした図と上方の縁取りとヨット柄を含む型込柄により図1の上部と同じネクタイの部位を配置した全型込柄のパターンで染織した布で「型込柄布（Ｒ６）」とし、図１の上部の縁取柄布（Ｍ５）は無地でしたが色物も可能で、図1の上部も下部も型紙を縁取った縁取り線に沿って裁断することにより容易にネクタイを縫製することができる。
【実施例２】
【００１３】
図２は４本分のネクタイとハンカチを構図柄により配置された全構図柄のパターンにより染織された布で「構図柄布（Ａ）」とし、該構図柄布（Ａ）に表示されている一本目のネクタイだけによる構図柄が図３で示す構図柄布（Ａ１）として抜粋されていて、大剣表示部（Ｂ１）と結び目表示部（Ｅ１）が従来の大剣としていた部分で、なかはぎ（Ｃ１）、小剣（Ｄ１）と連続して表記されていて各部位として縫製することなく一本のネクタイの表地として構成されていて該表地として構成された柄を「ネクタイ構図柄（Ｎ１）」とした。
【００１４】
図３の１本目のネクタイ構図柄を裁断しネクタイとして縫製し、結んだ時、大剣表示部（Ｂ１）と結び目表示部（Ｅ１）の柄の方向が同じ方向に表示されるよう構成された構図柄布（Ａ１）である。
【００１５】
図４の二本目のネクタイ構図柄は、ネクタイをかけて、大剣が左手側に位置して締めた時、表記されている矢印が右肩上がりの方向に表示されるよう柄が構成されていて、大剣をめくっても小剣（Ｄ２）も大剣と一緒の右肩上がりの方向に表示されていて、大剣裏地（Ｇ２）と小剣裏地（Ｈ２）も普段は目視できないが右肩の方向に表示されている構図柄で縁起の良いネクタイとしている。
【００１６】
図５の三本目のネクタイ構図柄（Ｎ３）と四本目のネクタイ構図柄（Ｎ４）が表記されていて、図４の二本目のネクタイを首にかけたとき大剣が右手側に位置して締めた時、結び目の矢印の方向は左下下がりになっていて逆に縁起の悪いネクタイになってしまうので、首にかけて大剣が右手側の時と左手側の時用に結び目が反転した柄により構成された構図柄であり、ネクタイを各方法で結んだ時ヨット柄の方向が裏地も含めて統べて同じ方向に向いている。
【実施例３】
【００１７】
図６の無地の半袖ワイシャツ（Ｐ１）に図で示すように丸と水平と垂直の線により表記された半袖ワイシャツ（Ｐ２）の縫製されている糸をほどき、構成されている各部位としてバラバラにして、該バラバラになった各部位の形と柄を構図柄とし、該構図柄により配置された全構図柄によるパターンによる布を染織することで毎回同じ構図の半袖ワイシャツ（Ｐ２）ができ、同じような方法で一枚の絵画や写真などの柄を簡単に縫製品として生産できる。
【符号の説明】
【００１８】
Ａ      構図柄布
Ｂ      大剣表示部
Ｃ      なかはぎ
Ｄ      小剣
Ｅ      結び目表示部
Ｆ      ハンカチ
Ｇ      大剣裏地
Ｈ      小剣裏地
Ｊ      小剣通し
Ｋ      位置決め部
Ｍ      縁取柄布
Ｎ      ネクタイ構図柄
Ｐ      半袖ワイシャツ
Ｑ      大剣
Ｒ      型込柄布
【図１】
2019194383.tif 000003
【図２】
2019194383.tif 000004
【図３】
2019194383.tif 000005
【図４】
2019194383.tif 000006
【図５】
2019194383.tif 000007
【図６】
2019194383.tif 000008